(57)【要約】【課題】被測定者の頭囲や胸囲等の身体を安全かつ簡易迅速に測定することのできる身体測定具を提供する。【解決手段】被測定者２００を載置する載置部１０と、載置部１０の一方の面に取り付けられる、紐状からなる第１及び第２のメジャー（２０、３０）とを備え、第２のメジャー３０は、載置部１０に被測定者２００を載置した場合において、第１のメジャー２０よりも、被測定者２００の身長方向下側に位置するとともに、第１のメジャー２０と平行となるように取り付けられることを特徴とする。【選択図】図３
2017006444.tif 000002
【特許請求の範囲】
【請求項１】
被測定者を載置する載置部と、
該載置部の一方の面に取り付けられる、紐状からなる第１及び第２のメジャーとを備え、
該第２のメジャーは、該載置部に該被測定者を載置した場合において、該第１のメジャーよりも、該被測定者の身長方向下側に位置するとともに、該第１のメジャーと平行となるように取り付けられることを特徴とする身体測定具。
【請求項２】
該第２のメジャーが、該載置部に、着脱自在に取り付けられることを特徴とする請求項１に記載の身体測定具。
【請求項３】
該載置部の一方の面に挿通孔が設けられ、該挿通孔に、該第２のメジャーを挿通することで、該第２のメジャーが、該載置部に、着脱自在に取り付けられることを特徴とする請求項２に記載の身体測定具。
【請求項４】
該挿通孔が、該載置部に該被測定者を載置した場合における該被測定者の身長方向に沿って、複数設けられていることを特徴とする請求項３に記載の身体測定具。
【請求項５】
該載置部の一方の面には、該第２のメジャーが取り付けられる箇所の近傍に、乳幼児の月齢を示す月齢表示部が設けられていることを特徴とする請求項１乃至４のいずれかに記載の身体測定具。
【発明の詳細な説明】
【技術分野】
【０００１】
本発明は、身体測定具に関し、より詳しくは、被測定者の頭囲や胸囲等の身体を安全かつ簡易迅速に測定することのできる身体測定具に関する。
【背景技術】
【０００２】
従来、被測定者の身体を測定するものとして、被測定者（乳児）の頭囲を測定する紐状からなるメジャーと、前一方の角部に溝部を有し、該メジャーを内部に収容するメジャーケースとを備え、該メジャーの先端には、該溝部に嵌合可能な円筒状からなる固定部を有し、該メジャーケースには、内部に該メジャーを巻き取るための巻取機構（該メジャーケースの表面に設けられるボタンを含む）を有する乳児用頭囲測定メジャーが知られている（非特許文献１参照）。
【０００３】
この非特許文献１に記載の乳児用頭囲測定メジャーは、該メジャーを乳児の頭囲に巻き付け、該メジャーの先端にある固定部を、該溝部に嵌合等することで、片手で、乳児の頭囲を測定できるものとなっている。
【先行技術文献】
【非特許文献】
【０００４】
【非特許文献１】松吉医科器械株式会社  商品検索  乳児用頭囲測定メジャー〔平成２７年６月１１日検索〕、インターネット＜URL: https://www.matsuyoshi.co.jp/search/index.php?action_Public_Detail=0&pkanri=20053＞
【発明の概要】
【発明が解決しようとする課題】
【０００５】
しかし、非特許文献１に記載されている乳児用頭囲測定メジャーは、該メジャーが該メジャーケースの内部に収容されていることから、乳児が横たわっている状態では、これを用いて、乳児の頭囲を簡易迅速に測定することができない。
【０００６】
すなわち、このような構成からなる非特許文献１に記載の乳児用頭囲測定メジャー用いて、横たわっている乳児の頭囲を測定するためには、乳児の頭を上に持ち上げ、該メジャーを乳児の頭の下に敷き、再度、乳児の頭を下におろして、該メジャーを乳児の頭囲に巻き付けなければならないことから（４回もの工程が必要になることから）、非特許文献１に記載されている乳児用頭囲測定メジャーでは、乳児の頭囲を簡易迅速に測定することができないのである。
【０００７】
また、乳児以外の被測定者（例えば、幼児や足の不自由な状態にある者等）が横たわっている状態で、被測定者の頭囲や胸囲等の身体を測定する場合でも、非特許文献１に記載されている乳児用頭囲測定メジャーでは、上記と同様の問題が生じることになる。
【０００８】
さらに、乳児の頭囲を測定する際、非特許文献１に記載されている乳児用頭囲測定メジャーでは、一度、乳児の頭を上に持ち上げなければならないことから、首の不安定な（首のすわっていない）乳児の頭囲を安全に測定することができない（この場合、相当な危険を伴う）。
【０００９】
加えて、非特許文献１に記載されている乳児用頭囲測定メジャーは、構造が複雑であることから、製造に手間とコストを要する（容易に製造をすることができない）。
【００１０】
そこで、本発明は、上記点に鑑みてなされたものであり、被測定者の頭囲や胸囲等の身体を安全かつ簡易迅速に測定することのできる身体測定具を提供することを目的とするものである。
【課題を解決するための手段】
【００１１】
請求項１の発明に係る身体測定具は、被測定者を載置する載置部と、該載置部の一方の面に取り付けられる、紐状からなる第１及び第２のメジャーとを備え、該第２のメジャーは、該載置部に該被測定者を載置した場合において、該第１のメジャーよりも、該被測定者の身長方向下側に位置するとともに、該第１のメジャーと平行となるように取り付けられることを特徴とする。
【００１２】
請求項２の発明に係る身体測定具は、請求項１に記載の発明に係る身体測定具において、該第２のメジャーが、該載置部に、着脱自在に取り付けられることを特徴とする。
【００１３】
請求項３の発明に係る身体測定具は、請求項２に記載の発明に係る身体測定具において、該載置部の一方の面に挿通孔が設けられ、該挿通孔に、該第２のメジャーを挿通することで、該第２のメジャーが、該載置部に、着脱自在に取り付けられることを特徴とする。
【００１４】
請求項４の発明に係る身体測定具は、請求項３に記載の発明に係る身体測定具において、該挿通孔が、該載置部に該被測定者を載置した場合における該被測定者の身長方向に沿って、複数設けられていることを特徴とする。
【００１５】
請求項５の発明に係る身体測定具は、請求項１乃至４のいずれかに記載の発明に係る身体測定具において、該載置部の一方の面には、該第２のメジャーが取り付けられる箇所の近傍に、乳幼児の月齢を示す月齢表示部が設けられていることを特徴とする。
【発明の効果】
【００１６】
請求項１に記載の発明は、紐状からなる第１及び第２のメジャーが、被測定者を載置する載置部に取り付けられており、第２のメジャーが、載置部に被測定者を載置した場合に、第１のメジャーよりも、被測定者の身長方向下側に位置するとともに、第１のメジャーと平行となるように取り付けられることから、本発明では、被測定者を載置部の上に載置することで（載置部の上に横たわっている状態）、横たわっている状態の被測定者の頭囲や胸囲等の身体を簡易迅速に測定することができる（特に、乳幼児や足の不自由な状態にある者等の被測定者に負担をかけずに身体の測定をすることができる）。
【００１７】
すなわち、被測定者が載置部の上に載置されると（このとき、被測定者の頭部は、第１のメジャーの上に置かれる）、第１及び第２のメジャーは、被測定者と載置部の間に位置することになり、この状態で、第１及び第２のメジャーを被測定者の頭囲や胸囲等に巻き付ければ（第１のメジャーを頭部に、第２のメジャーを胸部等に巻き付ける）、直ちに、被測定者の身体を測定することができることから、本発明を用いれば、被測定者を横たわらせた後は、その頭囲や胸囲等の身体を、それぞれ１回の工程で簡易迅速に測定することができるのである。
【００１８】
なお、乳幼児（被測定者）が体重を測定する際、乳幼児（被測定者）は箱型の測定台の上に載置されるが（測定台の上に横たわっている状態）、このとき、本発明に係る身体測定具（載置部）を測定台の上に敷き、乳幼児（被測定者）を載置部の上に載置すれば、乳幼児（被測定者）の体重及び頭囲や胸囲等の身体を同時（簡易迅速）かつ安全に測定することができる（頭囲や胸囲等の身体を測定するために、乳幼児（被測定者）を測定台から移動させる必要がないため。特に、乳幼児の集団検診の際に効果を発揮する）。
【００１９】
また、本発明を用いて、横たわっている状態の被測定者の頭囲や胸囲等の身体を測定する場合、被測定者の頭等の身体を上に持ち上げる必要がないことから、本発明では、安全に被測定者の頭囲や胸囲等の身体を測定することもできる。
【００２０】
さらに、本発明は、構成がシンプルであることから、手間とコストを要することなく、容易に製造をすることができる。
【００２１】
請求項２に記載の発明は、第２のメジャーが、載置部に、着脱自在に取り付けられることから、被測定者の体型及び測定したい身体の部位に合わせて、第２のメジャーの位置を変更することができる。また、本発明では、第２のメジャーが複数回の使用により摩耗した場合でも、これのみを交換することができる。
【００２２】
請求項３に記載の発明は、載置部の一方の面に挿通孔が設けられており、挿通孔に、第２のメジャーを挿通することで、第２のメジャーが、載置部に、着脱自在に取り付けられることから、第２のメジャーを載置部に取り付けた際、第２のメジャーが載置部からずれ落ちることを防止することができる。
【００２３】
請求項４に記載の発明は、挿通孔が、載置部に被測定者を載置した場合における被測定者の身長方向に沿って、複数設けられていることから、被測定者の体型及び測定したい身体の部位に合わせて、第２のメジャーの位置を変更することができる。また、本発明では、複数の第２のメジャーを用いれば、被測定者の身体の複数の部位を、安全かつ簡易迅速に測定することもできる。
【００２４】
請求項５に記載の発明は、第２のメジャーが取り付けられる箇所の近傍に、乳幼児の月齢を示す月齢表示部が設けられていることから、乳幼児（被測定者）の頭囲や胸囲等の身体を測定する際、迅速に、第２のメジャーの位置を乳幼児（被測定者）の月齢に応じた位置に変更することができる（例えば、第２のメジャーで乳幼児（被測定者）の胸囲を測定する場合、係る月齢表示部に従うことで、予め、その乳幼児（被測定者）の月齢に応じた胸囲の位置に第２のメジャーを合わせることができる）。
【図面の簡単な説明】
【００２５】
【図１】本発明の実施例１に係る身体測定具の平面図である。
【図２】本発明の実施例１に係る身体測定具の図１Ａ−Ａ線断面図である。
【図３】本発明の実施例１に係る身体測定具に被測定者を載置した状態を表す平面図である。
【図４】本発明の実施例１に係る身体測定具の第１のメジャーを被測定者の頭部に巻き付けている状態を表す側面図である。
【図５】本発明の実施例１に係る身体測定具の変形例を表す平面図である。
【図６】本発明の実施例１に係る身体測定具の変形例を表す平面図である。
【発明を実施するための形態】
【００２６】
以下、図面を用いて本発明の詳細を説明する。
【実施例１】
【００２７】
まず、図１乃至図３を用いて、本発明の実施例１に係る身体測定具１００の形態について説明する。
【００２８】
図１は本発明の実施例１に係る身体測定具の平面図であり、図２は本発明の実施例１に係る身体測定具の図１Ａ−Ａ線断面図である。また、図３は本発明の実施例１に係る身体測定具に被測定者を載置した状態を表す平面図である。
【００２９】
図１に示すように、身体測定具１００は、載置部１０、第１のメジャー２０及び第２のメジャー３０を備える。
【００３０】
［載置部１０］
図１乃至図３に示すように、載置部１０は薄片状からなり、平面視において矩形状となるよう形成される。載置部１０の一方の面には、後述する第２のメジャー３０を挿通するための挿通孔（１０ａから１０ｅ）が、載置部１０に被測定者２００を載置した場合における被測定者２００の身長方向に沿って複数設けられている（挿通孔１０ａから１０ｅは、同一線上に設けられている）。
【００３１】
載置部１０の長手方向の長さは概ね７０ｃｍ、短手方向の長さは概ね３０ｃｍ、厚みは概ね０．２ｃｍに形成される。なお、載置部１０の素材には、例えば、布、フェルト、スポンジ等を用いるとよい。
【００３２】
［第１のメジャー２０］
図１及び図３に示すように、第１のメジャー２０は、横長矩形状からなる紐状にて形成される。第１のメジャー２０の両面には、１ｍｍごとの目盛りが長手方向に沿って表示されており（図示略）、第１のメジャー２０の長手方向中央付近は、載置部１０の一方の短辺側の短手方向中央付近に固着されている（すなわち、第１のメジャー２０は、載置部１０の一方の面に取り付けられる）。
【００３３】
第１のメジャー２０の長手方向の長さは概ね１００ｃｍ（すなわち、第１のメジャー２０には、１００ｃｍ分の目盛りが表示されている）、短手方向の長さは概ね１ｃｍ、厚みは概ね０．１ｃｍに形成される。なお、第１のメジャー２０の素材には、例えば、塩化ビニル樹脂や布等を用いるとよい。また、衛生上の観点から、第１のメジャー２０の両面に抗菌処理を施すようにしてもよい。
【００３４】
［第２のメジャー３０］
図１及び図３に示すように、第２のメジャー３０は、横長矩形状からなる紐状にて形成される。第２のメジャー３０の両面には、１ｍｍごとの目盛りが長手方向に沿って表示されており（図示略）、第２のメジャー３０は、載置部１０の一方の面に設けられる挿通孔（１０ａから１０ｅ）に挿通されることで、載置部１０に着脱自在に取り付けられる。
【００３５】
第２のメジャー３０の構造は、第１のメジャー２０と同じでよい。すなわち、第２のメジャー３０の長手方向の長さは概ね１００ｃｍ（すなわち、第２のメジャー３０には、１００ｃｍ分の目盛りが表示されている）、短手方向の長さは概ね１ｃｍ、厚みは概ね０．１ｃｍに形成される。なお、第２のメジャー３０の素材には、例えば、塩化ビニル樹脂や布等を用いるとよい。また、衛生上の観点から、第２のメジャー３０の両面に抗菌処理を施すようにしてもよい。
【００３６】
［第１のメジャー２０と第２のメジャー３０の位置関係］
図１及び図３に示すように、第１のメジャー２０の長手方向中央付近は、載置部１０の一方の短辺側の短手方向中央付近に固着されているところ、第２のメジャー３０は、載置部１０に被測定者２００を載置した場合において、第１のメジャー２０よりも、被測定者２００の身長方向下側に位置するとともに、第１のメジャー２０と平行となるように取り付けられる（すなわち、挿通孔１０ａから１０ｅは、第２のメジャー３０がこのように取り付けられる位置に設けられることになる）。
【００３７】
次に、図３及び図４を用いて、本発明の実施例１に係る身体測定具１００の使用方法について説明する。
【００３８】
図４は本発明の実施例１に係る身体測定具の第１のメジャーを被測定者の頭部に巻き付けている状態を表す側面図である。
【００３９】
被測定者２００の身体を測定する者（以下、「測定者」という。）は、まず、身体測定具１００を平らな場所（床やベット等）に敷き、載置部１０の上に被測定者２００を載置するようにする（被測定者２００は、載置部１０の長手方向に沿って載置される。また、このとき、第１及び第２のメジャー（２０、３０）は、被測定者２００と載置部１０の間に位置することになる）。このとき、被測定者２００の頭囲は、第１のメジャー２０を使って測定されることから、被測定者２００の後頭部を、第１のメジャー２０の長手方向中央付近に載置するようにする（図３参照）。
【００４０】
そして、この状態のまま、測定者は、第１のメジャー２０を被測定者２００の頭部に巻き付け、被測定者２００の頭囲を測定し、続いて、第２のメジャー３０を被測定者２００の胸部又は腹部等に巻き付けて、被測定者２００の胸囲又は腹囲等を測定する（第１及び第２のメジャー（２０、３０）の両端部を持ち上げ、これらを被測定者２００の身体の部位に巻き付けるようにする。図４参照）。
【００４１】
このとき、第１のメジャー２０の長手方向中央付近は、載置部１０の一方の短辺側の短手方向中央付近に固着されていることから、被測定者２００の頭囲を測定する際、第１のメジャー２０の位置が被測定者２００の後頭部の位置からずれることはない。
【００４２】
また、第２のメジャー３０は、載置部１０に被測定者２００を載置した場合において、第１のメジャー２０よりも、被測定者２００の身長方向下側に位置するとともに、第１のメジャー２０と平行となるように取り付けられることから、被測定者２００の後頭部を、第１のメジャー２０の長手方向中央付近に載置すれば、自然と、被測定者２００の頭部以外の身体の部位（例えば、胸部等の第２のメジャー３０を使って測定する身体の部位）の近傍に位置されることになる。
【００４３】
なお、このときに、第２のメジャー３０の位置が、被測定者２００の頭部以外の身体の部位の位置とずれていたとしても、第２のメジャー３０は、載置部１０の一方の面に設けられる挿通孔（１０ａから１０ｅ）に挿通されることで、載置部１０に着脱自在に取り付けられることから、第２のメジャー３０を別の挿通孔に挿通することで、これを正しい位置に変更することができる。例えば、被測定者２００の胸囲を測定する場合、第２のメジャー３０の位置が被測定者２００の胸部の位置とずれているときには、第２のメジャー３０を挿通孔１０ａから取り外し、挿通孔１０ｃに挿通し直すことで、第２のメジャー３０を正しい位置に変更するようにすればよい（図３参照）。また、被測定者２００の胸囲ではなく腹囲を測定したいときには、第２のメジャー３０を挿通孔１０ｃから取り外し、正しい位置である挿通孔１０ｅに、これを挿通するようにすればよい（図３参照）。なお、第２のメジャー３０は挿通孔（１０ａから１０ｅ）に挿通されていることから、第２のメジャー３０が載置部１０からずれ落ちることはない。
【００４４】
このように、本発明では、紐状からなる第１及び第２のメジャー（２０、３０）が、被測定者２００を載置する載置部１０に取り付けられており、第２のメジャー３０が、載置部１０に被測定者２００を載置した場合に、第１のメジャー２０よりも、被測定者２００の身長方向下側に位置するとともに、第１のメジャー２０と平行となるように取り付けられることから、被測定者２００を載置部１０の上に載置し、第１及び第２のメジャー（２０、３０）を被測定者２００の頭囲や胸囲等の身体に巻き付けることで、横たわっている状態の被測定者２００の身体を、１回の工程で簡易迅速に測定することができる（特に、乳幼児や足の不自由な状態にある者等の被測定者２００に負担をかけずに身体の測定をすることができる）。
【００４５】
なお、乳幼児（被測定者２００）が体重を測定する際、乳幼児（被測定者２００）は箱型の測定台の上に載置されるが（測定台の上に横たわっている状態）、このとき、本発明に係る身体測定具１００（載置部１０）を測定台の上に敷き、乳幼児（被測定者２００）を載置部１０の上に載置すれば、乳幼児（被測定者２００）の体重及び頭囲や胸囲等の身体を同時（簡易迅速）かつ安全に測定することができる（頭囲や胸囲等の身体を測定するために、乳幼児（被測定者２００）を測定台から移動させる必要がないため。特に、乳幼児の集団検診の際に効果を発揮する）。
【００４６】
また、本発明を用いて、横たわっている状態の被測定者２００の頭囲や胸囲等の身体を測定する場合、第１及び第２のメジャー（２０、３０）は、被測定者２００と載置部１０の間に位置していることから、被測定者２００の頭等の身体を上に持ち上げる必要がない。よって、本発明では、安全に被測定者２００の頭囲や胸囲等の身体を測定することもできる。
【００４７】
さらに、本発明は、挿通孔（１０ａから１０ｅ）が、載置部１０に被測定者２００を載置した場合における被測定者２００の身長方向に沿って、複数設けられるとともに、第２のメジャー３０が、載置部１０の一方の面に設けられる挿通孔（１０ａから１０ｅ）に挿通されることで、載置部１０に着脱自在に取り付けられることから、本発明では、被測定者２００の体型及び測定したい身体の部位に合わせて、第２のメジャー３０の位置を変更することができる。また、本発明では、第２のメジャー３０が複数回の使用により摩耗した場合でも、これのみを交換することができる。
【００４８】
加えて、本発明は、構成がシンプルであることから、手間とコストを要することなく、これを容易に製造することができる。
【００４９】
なお、本実施例では、身体測定具１００（載置部１０、第１のメジャー２０及び第２のメジャー３０）を上記寸法にて形成するものとしているが、被測定者２００の体型等に応じて、これらを他の寸法（大きめ又は小さめ）にて形成することもできる。例えば、身体測定具１００を乳幼児用のものとして使用する場合には、載置部１０の長手方向の長さを概ね３０ｃｍ、短手方向の長さを概ね１５ｃｍに形成してもよい。また、身体測定具１００を体の大きな成人用として使用する場合には、例えば、載置部１０の長手方向の長さを概ね１００ｃｍ、短手方向の長さを概ね５０ｃｍに形成することもできる。なお、この際、第１及び第２のメジャー（２０、３０）の寸法（長手方向及び短手方向の長さ）を、載置部１０の寸法に合わせて、適宜変更することができることは勿論である。
【００５０】
また、本実施例では、載置部１０の形状を平面視において矩形状となるように形成するものとしているが、載置部１０の上に被測定者２００を載置することができるのであれば、これを例えば楕円形状に形成する等、他の形状にて形成することもできる。
【００５１】
さらに、本実施例では、載置部１０を薄片状にて形成するものとしているが（載置部１０の厚みは概ね０．２ｃｍ）、載置部１０に、より安定性を持たせたいのであれば、これに、さらに厚みを持たせて形成することもできる。例えば、載置部１０の厚みを１ｃｍから５ｃｍにすることもできる。
【００５２】
加えて、本実施例では、載置部１０、第１のメジャー２０及び第２のメジャー３０の素材として、上記の例を挙げているが、例えば、これらを紙製にて形成することもできる。これにより、身体測定具１００を低コストで製造することができることから、使い捨て用の身体測定具１００として、これを使用することができる（感染症に感染している被測定者２００の身体を測定する場合には、使い捨て用の身体測定具１００を使用することで、他の被測定者２００への感染を防止することができる）。
【００５３】
また、本実施例では、第１のメジャー２０の長手方向中央付近を、載置部１０の一方の短辺側の短手方向中央付近に固着するものとしているが、第１のメジャー２０のみを交換できるような構成にしたいのであれば（例えば、複数回の使用により摩耗した場合等）、第１のメジャー２０を、載置部１０に着脱自在に取り付けるようにすることもできる（載置部１０の一方の面に挿通孔を設け、これに第１のメジャー２０を挿通する又はボタン留め若しくは面ファスナー等にて、これを載置部１０に着脱自在に取り付けるようにする）。なお、第１及び第２のメジャー（２０、３０）の双方が、載置部１０に着脱自在に取り付け可能な場合には、載置部１０のみを交換することも可能になる（例えば、載置部１０が複数回の使用により摩耗等した場合）。
【００５４】
また、本実施例では、第２のメジャー３０を、載置部１０の一方の面に設けられる挿通孔（１０ａから１０ｅ）に挿通することで、載置部１０に着脱自在に取り付けるものとしているが、身体測定具１００の構成を、よりシンプルにすることで、これを容易に製造したい（又は製造コストを低く抑えたい）のであれば、載置部１０の一方の面に挿通孔（１０ａから１０ｅ）を設けないように構成することもできる。この場合、第２のメジャー３０を、ボタン留め又は面ファスナー等にて、載置部１０に着脱自在に取り付けるようにすればよい。なお、さらに、身体測定具１００の構成をシンプルにしたい場合には、第２のメジャー３０を予め、載置部１０に固着するようにしておくこともできる。この場合、複数の第２のメジャー３０を、予め、被測定者２００の体型及び測定したい身体の部位に合わせて、載置部１０に固着しておけば、一つの身体測定具１００で、様々な体型の被測定者２００の身体の部位を測定することができる。
【００５５】
また、本実施例は、１つの第２のメジャー３０を使用することを前提としているが、より効率的に被測定者２００の身体を測定したいのであれば、複数の第２のメジャー３０を同時に使用するようにするとよい（予め、全ての挿通孔（１０ａから１０ｅ）に、複数の第２のメジャー３０を挿通しておく）。これにより、被測定者２００の身体の複数の部位を、安全かつ簡易迅速に測定することができる。
【００５６】
また、本実施例では、５つ挿通孔（１０ａから１０ｅ）を設けることを前提に説明を行っているが、状況に応じて、挿通孔の数を適宜変更することができることはいうまでもない（状況に応じて、１つから４つ又は６つ以上の挿通孔を設けることも可能である）。
【００５７】
さらに、本実施例では、載置部１０を上記のように構成するものとしているが、乳幼児（被測定者２００）の身体を、より効率的に測定したいのであれば、載置部１０の一方の面に、乳幼児（被測定者２００）の月齢を示す月齢表示部（４０ａから４０ｄ）を設けるようにするとよい（図５参照）。これにより、乳幼児（被測定者２００）の頭囲や胸囲等の身体を測定する際、測定者は、月齢表示部（４０ａから４０ｄ）に従うことで、迅速に、第２のメジャー３０の位置を、乳幼児（被測定者２００）の月齢に応じた位置に変更する（又は予めこの位置を合わせる）ことができることから、より、簡易迅速に乳幼児（被測定者２００）の身体を測定することができる。なお、このとき、月齢表示部（４０ａから４０ｄ）を、第２のメジャー３０が取り付けられる箇所の近傍に設けておけば、測定者が、誤った挿通孔に第２のメジャー３０を挿通することを防止することができる（図５参照）。
【００５８】
最後に、本実施例では、挿通孔（１０ａから１０ｅ）を、載置部１０の一方の面に、同一線上に設けるものとしているが、第２のメジャー３０が、載置部１０に被測定者２００を載置した場合において、第１のメジャー２０よりも、被測定者２００の身長方向下側に位置するとともに、第１のメジャー２０と平行となるように取り付けられるのであれば、挿通孔（１０ａから１０ｅ）を、これとは異なる配置で設けることも可能である。
【００５９】
図６に示すように、例えば、挿通孔１０ａ及び１０ｂを同一線上に、挿通孔１０ｆを挿通孔１０ａ及び１０ｂを結んだ直線の左側（平面視左側）に、挿通孔１０ｇを挿通孔１０ａ及び１０ｂを結んだ直線の右側（平面視右側）に設けることもできる（これら４つの挿通孔（１０ａ、１０ｂ、１０ｆ及び１０ｇ）は、身体測定具１００の載置部１０の一方の面に、載置部１０に被測定者２００を載置した場合における被測定者２００の身長方向に沿って設けられる）。
【００６０】
これにより、挿通孔１０ｆ及び１０ｇに挿通される第２のメジャー３０は、載置部１０に被測定者２００を載置した場合において、同一線上に位置する被測定者２００の身体の部位（例えば、頭部、胸部、腹部等）以外の部位（例えば、足部等）の下側に位置することになることから、挿通孔（１０ａ、１０ｂ、１０ｆ及び１０ｇ）を、このように配置することで、さらに多くの被測定者２００の身体の複数の部位（頭部、胸部、腹部及び足部等）を、安全かつ簡易迅速に測定することができる。なお、ここでは、複数の第２のメジャー３０を使用しているが、これを１つの第２のメジャー３０のみで構成できることは勿論である（この場合、予め、被測定者２００の体型及び測定したい身体の部位に合わせて、第２のメジャー３０を載置部１０に取り付けておけばよい）。
【００６１】
このように、本実施例では、本発明の趣旨を逸脱しない範囲で種々の変更が可能であることはいうまでもない。
【符号の説明】
【００６２】
１０            載置部
１０ａ〜１０ｇ  挿通孔
２０            第１のメジャー
３０            第２のメジャー
４０ａ〜４０ｄ  月齢表示部
１００          身体測定具
２００          被測定者
【図１】
2017006444.tif 000003
【図２】
2017006444.tif 000004
【図３】
2017006444.tif 000005
【図４】
2017006444.tif 000006
【図５】
2017006444.tif 000007
【図６】
2017006444.tif 000008